(57)【特許請求の範囲】
【請求項１】
第１の方向及び第２の方向で画像を表示可能なディスプレイ部と、
前記ディスプレイ部の中央を通る第１の軸を挟んで略対称に配置された第１のボタン及び第２のボタンと、
前記第１及び第２のボタンを結ぶ直線を１辺とする３角形の頂点部に配置された第３のボタンと、
前記ディスプレイ部が前記第１の方向で画像を表示している場合には前記第１、第２、第３のボタンに第１、第２、第３の機能をそれぞれ割り当て、前記ディスプレイ部が第２の方向で画像を表示している場合には前記第１、第２、第３のボタンに前記第３、第１、第２の機能をそれぞれ割り当てる制御手段と
を備えることを特徴とする情報処理装置。
【請求項２】
第１の辺とこの第１の辺に直交する第２の辺を有し第１の方向及び第２の方向で画像を表示可能なディスプレイ部と、
前記第１の辺に沿う方向に沿って前記ディスプレイ部の外側にそれぞれ配置された第１のボタン及び第２のボタンと、
前記第２の辺に沿って前記ディスプレイ部の外側に配置された第３のボタンと、
前記ディスプレイ部が前記第１の方向で画像を表示している場合には前記第１、第２、第３のボタンに第１、第２、第３の機能をそれぞれ割り当て、前記ディスプレイ部が第２の方向で画像を表示している場合には前記第１、第２、第３のボタンに前記第３、第１、第２の機能をそれぞれ割り当てる制御手段と
を備えることを特徴とする情報処理装置。
【請求項３】
第１の方向及び第２の方向で画像を表示可能なディスプレイ部と、
前記ディスプレイ部の中央を通る第１の軸及びこの第１の軸と直交する第２の軸を境界とする領域のうち互いに隣り合う第１及び第２の領域にそれぞれ配置された第１のボタン及び第２のボタンと、
前記第１の領域と互いに隣り合う第３の領域に配置された第３のボタンと、
前記ディスプレイ部が前記第１の方向で画像を表示している場合には前記第１、第２、第３のボタンに第１、第２、第３の機能をそれぞれ割り当て、前記ディスプレイ部が第２の方向で画像を表示している場合には前記第１、第２、第３のボタンに前記第３、第１、第２の機能をそれぞれ割り当てる制御手段と
を備えることを特徴とする情報処理装置。
【請求項４】
第１の方向及び第２の方向で画像を表示可能なディスプレイ部と、
前記ディスプレイ部の中央を通る第１の軸を挟んで略対称に配置された第１のボタン及び第２のボタンと、
前記第２のボタンとともに前記第１の軸の方向に沿って配置された第３のボタンと、
前記ディスプレイ部が前記第１の方向で画像を表示している場合には前記第１、第２、第３のボタンに第１、第２、第３の機能をそれぞれ割り当て、前記ディスプレイ部が第２の方向で画像を表示している場合には前記第１、第２、第３のボタンに前記第３、第１、第２の機能をそれぞれ割り当てる制御手段と
を備えることを特徴とする情報処理装置。
【請求項５】
前記第１、第２、第３のボタンにそれぞれ対応する第１、第２、第３の報知部を備え、
前記ディスプレイ部が前記第１の方向で画像を表示している場合に前記第１の報知部及び前記第２の報知部を用いた報知方法と、前記ディスプレイ部が前記第２の方向で画像を表示している場合に前記第２の報知部及び前記第３の報知部を用いた報知方法とが同一であることを特徴とする請求項１ないし４のいずれか一項に記載の情報処理装置。
【発明の詳細な説明】
【技術分野】
【０００１】
本発明の実施の形態は、情報処理装置に関する。
【背景技術】
【０００２】
近年、地面に対して垂直方向（縦型）及び水平方向（横型）のいずれでも使用可能な情報処理装置が普及しつつある。
【先行技術文献】
【特許文献】
【０００３】
【特許文献１】特開２００５−０１２４９３号公報
【発明の概要】
【発明が解決しようとする課題】
【０００４】
しかしながら、情報処理装置を垂直方向で使用する場合と水平方向で使用する場合とでユーザインタフェースが異なると、操作しづらくなることがある。
そこで本発明の実施の形態は、情報処理装置の操作利便性を確保することのできる情報処理装置を提供することを目的とする。
【課題を解決するための手段】
【０００５】
実施形態によれば、情報処理装置は、ディスプレイ部と、第１のボタン、第２のボタン及び第３のボタンと、制御手段とを備える。ディスプレイ部は、第１の方向及び第２の方向で画像を表示可能である。第１のボタン及び第２のボタンは、ディスプレイ部の中央を通る第１の軸を挟んで略対称に配置される。第３のボタンは、ディスプレイ部の中央で第１の軸と直行する第２の軸を挟んで第２のボタンと略対象に配置される。制御手段は、ディスプレイ部が第１の方向で画像を表示している場合には第１のボタン及び第２のボタンに第１の機能及び第２の機能をそれぞれ割り当て、ディスプレイ部が第２の方向で画像を表示している場合に第２のボタン及び第３のボタンに第１の機能及び第２の機能をそれぞれ割り当てる。
【図面の簡単な説明】
【０００６】
【図１】実施形態の情報処理装置の外観の一例を示す斜視図。
【図２】実施形態の情報処理装置の外観の一例を示す正面図。
【図３】実施形態の情報処理装置の構成の一例を示す図。
【図４】実施形態の情報処理装置のボタン機能割り当ての一例を示す図。
【図５】実施形態の情報処理装置のＬＥＤ点灯割り当ての一例を示す図。
【図６】実施形態の情報処理装置の保持状態に応じた処理の流れを示す図。
【図７】実施形態の情報処理装置の保持状態に応じた処理の流れを示す図。
【図８】実施形態の情報処理装置の外観の一例を示す斜視図。
【図９】実施形態の情報処理装置の外観の一例を示す正面図。
【図１０】実施形態の情報処理装置の外観の一例を示す正面図。
【図１１】実施形態の情報処理装置のボタン機能割り当ての一例を示す図。
【図１２】実施形態の情報処理装置のＬＥＤ点灯割り当ての一例を示す図。
【発明を実施するための形態】
【０００７】
以下、実施の形態について、図面を参照しながら説明する。
まず、本実施の形態に於ける情報処理装置の外観を、図１を参照しながら説明する。図１は、本実施の形態における情報処理装置１の外観を示す斜視図である。
情報処理装置１は、図１に示すように矩形状の扁平な形状を成している。尚、本実施形態では、説明の便宜上、方向（Ｘ方向、Ｙ方向、及びＺ方向）を規定する。Ｘ方向及びＹ方向は、情報処理装置１の表面に略沿う方向であり、Ｘ方向は情報処理装置１の幅方向（表面５の長手方向）、Ｙ方向は情報処理装置１の奥行き方向（表面５の短手方向）である。また、Ｚ方向は、情報処理装置１の表面５に垂直な方向（情報処理装置の厚さ方向）である。Ｘ方向、Ｙ方向、Ｚ方向は、互いに直行している。
【０００８】
図１に示すように、情報処理装置１には、筺体２表面５に露出するように、表示部であるＬＣＤ等のディスプレイ３や操作ボタン４Ａ、４Ｂ、及び４Ｃが設けられている。ユーザは、操作ボタン４Ａ、４Ｂ、及び４Ｃを操作して各種操作を行う。
【０００９】
ディスプレイ３の外形を形成する４辺を、図１のように規定する。ボタン４Ｃ側のＹ軸に平行な辺を長辺３a、ボタン４B及び４C側のX方向に平行な辺を短辺３ｂ、ボタン４Ａ及び４B側のＹ軸に平行な辺を長辺３ｃ、ボタン４Ａ側のＸ方向に平行な辺を短辺３ｄと規定する。
【００１０】
ここで、ボタン４Ａは軸１を中心に、ボタン４Ｂに対して略対称に配置される。また、ボタン４Cは軸２を中心に、ボタン４Ｂに対して略対称に配置される。軸１と軸２とは、ディスプレイ３のほぼ中心で垂直に交わる仮想的な線であり、軸１はＸ方向に、軸２はＹ方向に延びる。
【００１１】
また、操作ボタン４Ａ、４Ｂ、及び４Ｃの周囲には、其々報知するためのＬＥＤ６Ａ、６Ｂ、及び６Ｃが配置される。ＬＥＤ６Ａ、６Ｂ、及び６Ｃは複数の色で点灯することが可能であり、其々対応する操作ボタン４Ａ、４Ｂ、及び４Ｃの機能を点灯する色で示す。
【００１２】
図２に示すように、ユーザは横向き保持（図２Ａ）と、縦向き保持（図２Ｂ）とが可能であるが、情報処理装置１のディスプレイ３に表示される画像の表示方向は、縦向き保持と横向き保持とでそれぞれ画像とで異なる。図２Ａに示すように横向き保持（表面５の長手方向（Ｙ方向）が地面と略平行）の場合にはディスプレイ３の長辺３ｃがユーザに近接するように画像を表示し、図２Ｂに示すように縦向き保持（表示５の短手方向（Ｘ方向）が地面と略平行）の場合にはディスプレイ３の短辺３ｂがユーザに近接するように画像を表示する。
【００１３】
また、本実施形態においては、横向き保持と縦向き保持とで、第１、第２、及び第３のボタンに割り当てる機能も異なる。より具体的には、横向き保持時（図２Ａ）のときに操作ボタン４Ａ、４Ｂ、及び４Ｃにそれぞれ割り当てる機能は、縦向き保持時（図２Ｂ）のときに操作ボタン４Ｂ、４Ｃ、及び４Ａに割り当てられる。また、横向き保持時と縦向き保持時とで割り当てられる機能が異なることにより、ＬＥＤ６Ａ、６Ｂ、及び６Ｃの色も変化する。より具体的には、横向き保持時（図２Ａ）の時のＬＥＤ６Ａ、６Ｂ、及び６Ｃの色は、縦向き保持時（図２Ｂ）の時のＬＥＤ６Ｂ、６Ｃ、及び６Ａの色と同一となる。機能及びＬＥＤの色の割り当ての詳細は図３及び図４を参照しながら後述する。
【００１４】
次に、情報処理装置１の構成を図３を参照しながら説明する。図３は、情報処理装置１の構成の一例を示す機能ブロック図である。
制御部３１は、情報処理装置１内の各構成を統括制御する。例えば、向き検出部３２で検出した情報処理装置の保持状態（縦向きか横向きか）に応じてボタンＡ  ４Ａ、ボタンＢ  ４Ｂ、及びボタンＣ  ４Ｃに割り当てる機能、及びＬＥＤ  Ａ  ６Ａ、ＬＥＤ  Ｂ  ６Ｂ、ＬＥＤ  Ｃ  ６Ｃが点灯する色を変更する。また、制御部３１は、図２Ａ、図２Ｂ
に示した通り、ディスプレイ３に表示する画像の向きを変更する。
【００１５】
制御部３１はタイマ３１Ａを内包する。タイマ３１Ａは、例えばボタンＡ、ボタンＢ、及びボタンＣの押下時間や押下間隔を計測する。制御部３１は、この計測時間に応じて入力されたユーザ操作がシングルクリックなのか、ダブルクリックなのか、長押しなのかを判別し、これらの操作種類に応じて、割り当てられた操作を実行する。
【００１６】
向き検出部３２は、例えばジャイロセンサや加速度センサであり、地面に対する情報処理装置１の向きを検出し、縦向き保持か横向き保持かを検出する。更に、向き検出部３２は検出した向きを制御部３１に出力し、制御部３１は当該保持方向に応じて各種制御をおこなう。
【００１７】
表示制御部３３は、制御部３１からの指示に応じてディスプレイ３に画像を表示する。ディスプレイ３に表示する画像は、上述の通り縦向き保持か横向き保持かで異なる。
【００１８】
記憶部３４は、例えばＦｌａｓｈＲＯＭ等の不揮発性のメモリやＨＤＤ（Ｈａｒｄ  Ｄｉｓｋ  Ｄｒｉｖｅ）等であり、ボタン機能割り当て表３４ＡやＬＥＤ点灯色割り当て表３４Ｂ等を記憶する。制御部３１は、これらのボタン機能割り当て表３４ＡやＬＥＤ点灯色割り当て表３４Ｂを参照し、向き検出部３２の検出した向きに応じたボタンへの機能割り当て及びＬＥＤの点灯色割り当てを行う。
【００１９】
ボタン機能割り当て表３４Ａの例を、図４に示す。図４に示すように、ボタン機能割り当て表３４Ａでは、横向き保持と横向き保持とで、ボタンＡ、ボタンＢ、及びボタンＣに割り当てる複数の機能が定義されている。ここで、ユーザは各ボタンに対してシングルクリック、ダブルクリック、及び長押しの３種類の操作が可能であり、其々に対して異なる機能が割り当てられている。
【００２０】
より具体的には、横向き保持の時には、ボタンＡがシングルクリックで操作された場合には機能１が、ダブルクリックで操作された場合には機能２が、長押しで操作された場合には機能３が割り当てられる。ボタンＢがシングルクリックで操作された場合には機能４が、ダブルクリックで操作された場合には機能５が、長押しで操作された場合には機能６が割り当てられる。ボタンＣがシングルクリックで操作された場合には機能７が、ダブルクリックで操作された場合には機能８が、長押しで操作された場合には機能９が割り当てられる。
【００２１】
また、縦向き保持の時には、ボタンＡがシングルクリックで操作された場合には機能７が、ダブルクリックで操作された場合には機能８が、長押しで操作された場合には機能９が割り当てられる。これらの機能は、横向き保持時にはボタンＣに割り当てられていた機能である。ボタンＢがシングルクリックで操作された場合には機能１が、ダブルクリックで操作された場合には機能２が、長押しで操作された場合には機能３が割り当てられる。これらの機能は、横向き保持時にはボタンＡに割り当てられていた機能である。ボタンＣがシングルクリックで操作された場合には機能４が、ダブルクリックで操作された場合には機能５が、長押しで操作された場合には機能６が割り当てられる。これらの機能は、縦向き保持時にはボタンＢに割り当てられていた機能である。
【００２２】
次に、ＬＥＤ点灯割り当て表３４Ｂについて図５を参照しながら説明する。図５は、ＬＥＤ点灯割り当て表３４Ｂの例を示す図である。図５に示すように、ＬＥＤ点灯色割り当て表３４Ｂでは、ボタン機能割り当て表３４Ａと同様に縦向き保持と横向き保持とでＬＥＤ  Ａ（ボタンＡに対応するＬＥＤ）、ＬＥＤ  Ｂ（ボタンＢに対応するＬＥＤ）、ＬＥＤ  Ｃ（ボタンＣに対応するＬＥＤ）が点灯する点灯色が割り当てられる。
【００２３】
より具体的には、横向き保持の場合にはＬＥＤ  Ａ、ＬＥＤ  Ｂ、ＬＥＤ  Ｃにそれぞれ白色、青色、黄色が割り当てられ、縦向き保持の場合にはＬＥＤ  Ａ、ＬＥＤ  Ｂ、ＬＥＤ  Ｃに其々黄色、白色、青色が割り当てられる。これらの点灯色は図４で説明したボタン機能割り当てで説明した機能に対応しており、横向き保持時にＬＥＤＡ、ＬＥＤ  Ｂ、ＬＥＤ  Ｃに割り当てられていた点灯色は、それぞれ縦向き保持時にＬＥＤ  Ｂ、ＬＥＤ  Ｃ、ＬＥＤ  Ａと同一である。
【００２４】
続いて、保持状態の変化に伴う機能及びＬＥＤ点灯色の割り当て処理について図６及び図７を参照しながら説明する。まず、ボタン押下時の処理について図６を参照しながら説明する。
【００２５】
ユーザがボタン（ボタンＡ、ボタンＢ、及びボタンＣのいずれか）を押下し、その信号を制御部３１が検出すると（Ｓ２０１）、制御部３１はその操作の種別（押下操作）を判定する（Ｓ２０２）。当該操作の種別の判定とは、より具体的には、ボタンへのユーザの操作入力がシングルクリックであるか、ダブルクリックであるか、長押しであるかの判定である。
【００２６】
更に、制御部３１は、向き検出部３２で検出済みの方向検出信号の示す保持状態（縦向き保持か横向き保持か）を取得する（Ｓ２０３）。そしてこの取得した保持状態、及び押下操作に基づき、ボタン機能割り当て表３４Ａを調べ、操作及び保持状態に対応する、割り当てるべき機能（ボタン機能情報）を取得する（Ｓ２０４）。そして、制御部３１は取得したボタン機能情報に応じた機能を実行する（Ｓ２０５）。
【００２７】
次にＬＥＤ点灯色の割り当て処理について図７を参照しながら説明する。
ユーザが情報処理装置１の保持状態を変化させ、その変化を向き検出部３２が検出すると（Ｓ１０１）、制御部３１は、検出した保持状態に対応する、割り当てるべきＬＥＤの点灯色（点灯色情報）を取得する（Ｓ１０２）。そして、制御部３１は取得した点灯色情報に応じて、各ＬＥＤ  Ａ、ＬＥＤ  Ｂ、ＬＥＤ  Ｃの色彩を変化させる（Ｓ１０３）。
【００２８】
以上説明したように、本実施の形態によれば、保持状態の変化に応じて画像の表示向き及びボタン４Ａ、ボタン４Ｂ、及びボタン４Ｃへ割り当てる機能を変化させるので、ユーザ操作の利便性が向上する。特に、本情報処理装置１においては、情報処理装置１が略矩形の形状をなし、該ディスプレイは略中央部に配置されると共に、ボタン４Ａと４Ｂ、ボタン４Ｂと４Ｃがディスプレイに対して略対称な位置に配置されているため、保持状態に応じた操作感の変化は非常に小さい。
【００２９】
また、ＬＥＤ  Ａ、ＬＥＤ  Ｂ、及びＬＥＤ  Ｃの色彩を保持状態に応じて変化させるため、ユーザに対して、各ボタンへの機能割り当てが変化したことを報知することが可能となり、ユーザ操作が容易となる。
【００３０】
更に、シングルクリック、ダブルクリック、及び長押しの全ての操作に対応する機能を保持状態に応じて変化させるので、更にユーザの利便性の向上を図ることが可能となる。
【００３１】
尚、上記では筐体が１つの場合について説明してきたが、回動式の筐体３Ａ、３Ｂを備え、其々がディスプレイ２Ａ、２Ｂを備える場合であっても良い（図８、図９参照）。
【００３２】
また、以上、ボタンが３つの場合について説明してきたが、ボタンが４つの場合について図１０乃至図１２を参照しながら説明する。尚、ボタンが３つの場合と同様の構成については、上記の実施形態と同様であるものとして一部説明や図示を省略すると共に、同じ符号を付して説明する。
【００３３】
また、構成について、ボタンが４つであるという違いはあるものの、それ以外は基本的にボタンが３つである場合（図３）と同様であるので、説明を省略する。
図１０はボタンが４つの場合の実施の形態における情報処理装置１の保持状態について説明するための図である。図１０（Ａ）（Ｂ）は横向き保持の場合であって、其々上下反対に持った場合、図１０（Ｃ）（Ｄ）は縦向き保持の場合であって、其々上下反対に持った場合を示している。
【００３４】
ボタン４Ａ、４Ｄは、其々軸１に対してボタン４Ｂ、４Ｃと対称な位置にある。また、ボタン４Ｄ、４Ｃは其々軸２に対してボタン４Ａ、４Ｂと対称な位置にある。
ＬＥＤ６Ａ、ＬＥＤ６Ｂ、ＬＥＤ６Ｃ、ＬＥＤ６Ｄは、其々ボタン４Ａ乃至４Ｄの周囲に円周上に配置される。
また、図１０（Ａ）乃至図１０（Ｄ）に示すように、本実施形態において、情報処理装置１がいずれの向きを向いていたとしても、地面に対して最も下にくる辺が下となるように画像が表示される。
【００３５】
更に、横向き保持（１）（図１０（Ａ））のボタン４Ａ、４Ｂ、４Ｃ、及び４Ｄに其々割り当てられる機能は、横向き保持（２）（図１０（Ｂ））のボタン４Ｃ、４Ｄ、４Ａ、４Ｂに其々割り当てられる機能と同一である。また、横向き保持（１）（図１０（Ａ））のボタン４Ａ、４Ｂ、４Ｃ、及び４Ｄに其々割り当てられる機能は、縦向き保持（３）（図１０（Ｃ））のボタン４Ｂ、４Ｃ、４Ｄ、４Ａに其々割り当てられる機能と同一であり、縦向き保持（４）（図１０（Ｄ））のボタン４Ｄ、４Ａ、４Ｂ、４Ｃに其々割り当てられる機能と同一である。
【００３６】
図１１に、ボタンが４つの場合のボタン機能割り当て表３４Ａの例を示す。図１１の例では、横向き保持（１）（２）の場合と縦向き保持（１）（２）の場合の４種類の保持状態に対して、ボタンＡ、Ｂ、Ｃ、及びＤに割り当てる複数の機能が定義されている。ここで、ユーザは各ボタンに対してシングルクリック、ダブルクリック、長押しの３種類の操作が可能であり、其々に対して異なる機能が割り当てられている。
【００３７】
更に、これらの３種類の操作に応じた機能全てに対して、上述及び図１１に示すように、保持状態に応じて割り当てを変更する。
図１２は、ＬＥＤ点灯割り当て表３４Ｂの例を示す図である。図１２に示すように、ＬＥＤ点灯割り当て表３４Ｂでは、横向き保持（１）の場合にＬＥＤ  Ａ、ＬＥＤ  Ｂ、ＬＥＤ  Ｃ、ＬＥＤ  Ｄに其々割り当てられる点灯色は、横向き保持（２）の場合にＬＥＤ  Ｃ、ＬＥＤ  Ｄ、ＬＥＤ  Ａ、ＬＥＤ  Ｂに其々割り当てられる点灯色と同一である。
同様に、横向き保持（１）の場合にＬＥＤ  Ａ、ＬＥＤ  Ｂ、ＬＥＤ  Ｃ、ＬＥＤ  Ｄに其々割り当てられる点灯色は、縦向き保持（１）の場合にＬＥＤ  Ｂ、ＬＥＤ  Ｃ、ＬＥＤ  Ｄ、ＬＥＤ  Ａにそれぞれ割り当てられる点灯色及び縦向き保持（２）の場合にＬＥＤ  Ｄ、ＬＥＤ  Ａ、ＬＥＤ  Ｂ、ＬＥＤ  Ｃにそれぞれ割り当てられる点灯色と同一である。
【００３８】
以上、ボタン４つの場合の情報処理装置１について説明してきたが、この場合であっても、ボタンが３つの場合の上述の実施携帯の利点は全て享受することができる。
【００３９】
更に、本ボタンが４つの場合には、４つのいずれの方向でユーザが使用したとしても、画像の表示及びボタン操作をそれに併せて変化させるため、ユーザの操作感が同様となり、利便性が向上する。
【００４０】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を構成できる。例えば、実施形態に示される前構成要素から幾つかの構成要素を削除してもよい。さらに、異なる実施形態に亘る構成要素を適宜組み合わせても良い。
【符号の説明】
【００４１】
１…情報処理装置、
２、２Ａ、２Ｂ…筐体
３、３Ａ、３Ｂ…ディスプレイ
４Ａ、４Ｂ、４Ｃ、４Ｄ…ボタン
５…表面
６Ａ、６Ｂ、６Ｃ、６Ｄ…ＬＥＤ
３１…制御部
３１Ａ…タイマ
３２…向き検出部
３３…表示制御部
３４…記憶部
３４Ａ…ボタン機能割り当て表
３４Ｂ…ＬＥＤ点灯色割り当て表
【図１】
0005395945.tif 000002
【図２】
0005395945.tif 000003
【図３】
0005395945.tif 000004
【図４】
0005395945.tif 000005
【図５】
0005395945.tif 000006
【図６】
0005395945.tif 000007
【図７】
0005395945.tif 000008
【図８】
0005395945.tif 000009
【図９】
0005395945.tif 000010
【図１０】
0005395945.tif 000011
【図１１】
0005395945.tif 000012
【図１２】
0005395945.tif 000013